(57)【要約】【課題】メカニズムの変化に対しても、係数を変更することで容易に対応可能な技術すなわちディスク再生装置、方法及びプログラムを提供する。【解決手段】ＣＰＵ４は、ロジック回路１１を用いて、フラッシュＲＯＭ１２に記憶されている係数をディスク再生のプログラム実行時に読み出し、メカニズムであるＣＤメカ５に関する係数として設定する。ＣＰＵ４は、所定の条件が成立した場合に、フラッシュＲＯＭ１２に記憶されている係数を書き換える。所定の条件とは、例えば、所定フォーマットでデータが記録されたディスクが装着された場合であり、ＣＰＵ４は、書き換えようとする新たな係数を、再生対象であるディスクから読み込む。【選択図】　図１
2004022147.tif 000002
【特許請求の範囲】
【請求項１】
ディスク再生のメカニズムを制御するための係数を記憶する書換可能な記憶手段と、
前記記憶手段に記憶されている係数をディスク再生のプログラム実行時に読み出し、前記メカニズムに関する係数として設定する手段と、
所定の入力が与えられた場合に、前記記憶手段に記憶されている係数を書き換える手段と、
を備えたことを特徴とするディスク再生装置。
【請求項２】
前記書き換える手段は、書き換えようとする新たな係数を、再生対象である前記ディスクから読み込むように構成されたことを特徴とする請求項１記載のディスク再生装置。
【請求項３】
ディスク再生のメカニズムを制御するための係数を書換可能な記憶手段に記憶し、
前記記憶手段に記憶されている係数をディスク再生のプログラム実行時に読み出し、前記メカニズムに関する係数として設定し、
所定の入力が与えられた場合に、前記記憶手段に記憶されている係数を書き換えることを特徴とするディスク再生方法。
【請求項４】
書き換えようとする新たな係数を、前記ディスクから読み込むことを特徴とする請求項３記載のディスク再生方法。
【請求項５】
コンピュータを制御することにより、ディスクを再生するディスク再生プログラムにおいて、
そのプログラムは前記コンピュータに、
ディスク再生のメカニズムを制御するための係数を書換可能な記憶手段に記憶させ、
前記記憶手段に記憶されている係数をディスク再生のプログラム実行時に読み出し、前記メカニズムに関する係数として設定させ、
所定の入力が与えられた場合に、前記記憶手段に記憶されている係数を書き換えさせることを特徴とする。
【請求項６】
前記プログラムは前記コンピュータに、書き換えようとする新たな係数を、前記ディスクから読み込ませることを特徴とする請求項５記載のディスク再生プログラム。
【発明の詳細な説明】
【０００１】
【発明の属する技術分野】
本発明は、メカニズムの変化に対しても、係数を変更することで容易に対応可能な技術すなわちディスク再生装置、方法及びプログラムに関するものである。
【０００２】
【従来の技術】
近年、デジタル技術が急速に進歩し、ＣＤ（コンパクトディスク）に代表される各種ディスクを再生するディスク再生装置は、小型化されてカーオーディオシステムに組み込まれるなど多様化し、さらにＭＰ３等の圧縮オーディオファイルへも対応するなど、急速な進歩を見せている。
【０００３】
ここで、従来のディスク再生装置の一例を図２の機能ブロック図に示す。この例では、キー入力機器２から与えられる操作に基いて、ホスト側ＣＰＵ３が本体ユニット１を制御する。本体ユニット１では、ホスト側ＣＰＵ３と情報伝達用のバスで接続されたＣＤ再生制御用ＣＰＵ４０が、ＣＤの駆動及び読取機構などのメカニズム（以下「ＣＤメカ」と呼ぶ）５を、ドライバ５ｄを通じて制御することでＣＤから信号を読み取る。このようにＣＤから読み取った信号はＲＦアンプ６を経て、ＤＳＰ７及びデコーダ８により処理される。その際、デコードロジック回路１０の助けを借りてＤＲＡＭ９が利用される。
【０００４】
このような従来技術において、ＣＤ−ＩＣなどのマイコン、特にドライバ５ｄなどの制御回路が、ピックアップその他のメカニズムの特性に応じた制御を行うには、そのような特性に応じたサーボ係数等の係数を、制御回路内の例えばＲＯＭに固定されたものとして保有していた。
【０００５】
【発明が解決しようとする課題】
しかしながら、ピックアップその他のメカニズムは、量産開始後に設計変更などの理由で特性が変化する場合もあり、このような変化は典型的には特性値の例えば平均値などに現れる。このような変化に対処するには、上記のような従来技術では、マイコン等の制御回路自体の変更を要するため、テープアウト、マスク出し等の再設計や、特別な在庫管理などが必要となり、費用、時間、手間などの負担が大きいという問題があった。
【０００６】
本発明は、上記のような従来技術の問題点を解決するために提案されたもので、その目的は、メカニズムの変化に対しても、係数を変更することで容易に対応可能な技術すなわちディスク再生装置、方法及びプログラムを提供することである。
【０００７】
【課題を解決するための手段】
上記の目的を達成するため、請求項１のディスク再生装置は、ディスク再生のメカニズムを制御するための係数を記憶する書換可能な記憶手段と、前記記憶手段に記憶されている係数をディスク再生のプログラム実行時に読み出し、前記メカニズムに関する係数として設定する手段と、所定の入力が与えられた場合に、前記記憶手段に記憶されている係数を書き換える手段と、を備えたことを特徴とする。
【０００８】
請求項３のディスク再生方法は、請求項１の発明を方法という見方から捉えたもので、ディスク再生のメカニズムを制御するための係数を書換可能な記憶手段に記憶し、前記記憶手段に記憶されている係数をディスク再生のプログラム実行時に読み出し、前記メカニズムに関する係数として設定し、所定の入力が与えられた場合に、前記記憶手段に記憶されている係数を書き換えることを特徴とする。
【０００９】
請求項５の発明は、請求項１，３の発明をコンピュータプログラムという見方から捉えたもので、コンピュータを制御することにより、ディスクを再生するディスク再生プログラムにおいて、そのプログラムは前記コンピュータに、ディスク再生のメカニズムを制御するための係数を書換可能な記憶手段に記憶させ、前記記憶手段に記憶されている係数をディスク再生のプログラム実行時に読み出し、前記メカニズムに関する係数として設定させ、所定の入力が与えられた場合に、前記記憶手段に記憶されている係数を書き換えさせることを特徴とする。
【００１０】
これらの態様では、ＣＤ−ＩＣ等の制御回路をコントロールするためのメカニズムのサーボ係数といった係数を、機器内のフラッシュメモリ（フラッシュＲＯＭ）など書換可能な記憶手段に予め記憶しておき、プログラム実行や再生時にその係数を読み出して制御回路を設定する。このため、もしピックアップやメカニズム等の特性が量産開始後に変化しても、ＣＤ−ＩＣ、マイコンなどの制御回路についてテープアウト等の再設計や特別な在庫管理を行うことなく、サーボ係数などの係数のみを書き換えにより更新（バージョンアップ）するだけで容易に対応可能となる。また、ファームウェア等のプログラム全体ではなく係数を変更するので、記憶手段の容量が小さくて済む利点もある。
【００１１】
請求項２の発明は、請求項１記載のディスク再生装置において、前記書き換える手段は、書き換えようとする新たな係数を、再生対象である前記ディスクから読み込むように構成されたことを特徴とする。
【００１２】
請求項４の発明は、請求項２の発明を方法という見方から捉えたもので、請求項３記載のディスク再生方法において、書き換えようとする新たな係数を、前記ディスクから読み込むことを特徴とする。
【００１３】
請求項６の発明は、請求項２，４の発明をコンピュータプログラムという見方から捉えたもので、請求項５記載のディスク再生プログラムにおいて、前記プログラムは前記コンピュータに、書き換えようとする新たな係数を、前記ディスクから読み込ませることを特徴とする。
【００１４】
これらの態様では、書換における新しい係数は、外部から交換容易なディスクから読み込むので、係数の更新作業が容易になる利点がある。
【００１５】
【発明の実施の形態】
次に、本発明の実施の形態（以下「実施形態」と呼ぶ）について、添付の図面を参照して具体的に説明する。なお、各実施形態は、コンピュータをプログラムで制御することにより実現される部分があり、ディスク再生装置に加え、ディスク再生方法及びプログラムとしても把握可能であるが、この場合のハードウェアやプログラムの実現態様は各種変更可能であるから、以下の説明では、本発明及び本実施形態の各機能を実現する仮想的回路ブロックを用いる。
【００１６】
〔１．構成〕
まず、本実施形態のディスク再生装置（以下「本装置」と呼ぶ）は、図２に示した従来のディスク再生装置の構成に準じるが、主な相違点として、アドレスラッチ用のロジック回路１１とフラッシュＲＯＭ１２が加えられている。このうち、フラッシュＲＯＭ１２は、ディスク再生のメカニズムを制御するための係数を記憶する書換可能な記憶手段である。また、ＣＰＵ４は、前記プログラムにより、以下のように作用する手段として構成される。
【００１７】
〔２．作用〕
すなわち、ＣＰＵ４は、ロジック回路１１の助けを借りて、フラッシュＲＯＭ１２に記憶されている係数をディスク再生のプログラム実行時に読み出し、メカニズムであるＣＤメカ５に関する係数として設定する。また、ＣＰＵ４は、所定の条件が成立した場合に、フラッシュＲＯＭ１２に記憶されている係数を書き換える。
【００１８】
所定の条件とは、例えば、所定フォーマットでデータが記録されたディスクがＣＤメカ５に装着された場合であり、ＣＰＵ４は、書き換えようとする新たな係数を、再生対象であるディスク、又は専用の所定フォーマットのディスクから読み込む。
【００１９】
〔３．効果〕
以上のように、本実施形態では、ＣＤ−ＩＣ等の制御回路をコントロールするためのメカニズムのサーボ係数といった係数を、機器内のフラッシュメモリ（フラッシュＲＯＭ）など書換可能な記憶手段に予め記憶しておき、プログラム実行や再生時にその係数を読み出して制御回路を設定する。このため、もしピックアップやメカニズム等の特性が量産開始後に変化しても、ＣＤ−ＩＣ、マイコンなどの制御回路についてテープアウト等の再設計や特別な在庫管理を行うことなく、サーボ係数などの係数のみを書き換えにより更新（バージョンアップ）するだけで容易に対応可能となる。また、ファームウェア等のプログラム全体ではなく係数を変更するので、記憶手段の容量が小さくて済む利点もある。
【００２０】
また、本実施形態では、書換における新しい係数は、外部から交換容易なディスクから読み込むので、係数の更新作業が容易になる利点がある。
【００２１】
〔４．他の実施形態〕
なお、本発明は、上記実施形態には限定されず、以下に例示するような他の実施形態も含むものである。例えば、本発明は、ＣＤ以外のディスク再生装置にも適用可能である。また、書き換えようとする新たな係数については、ディスクから読み込ませる他に、工場やメンテナンス施設で所定の接続コネクタから入力したり、ユーザの手元で使用開始後もネットワーク配信するなど、自由な態様で入力してよい。また、書換可能な記憶手段はフラッシュメモリやフラッシュＲＯＭには限定されず、ハードディスクドライブなど所望の種類を採用可能である。
【００２２】
【発明の効果】
以上のように、この発明によれば、メカニズムの変化に対しても、係数を変更することで容易に対応可能な技術すなわちディスク再生装置、方法及びプログラムを提供することができる。
【図面の簡単な説明】
【図１】本発明の実施形態におけるディスク再生装置の構成を示す機能ブロック図。
【図２】従来のディスク再生装置の構成を例示する機能ブロック図。
【符号の説明】
１…本体ユニット
２…キー入力機器
３…ホスト側ＣＰＵ
４…ＣＰＵ
５…ＣＤメカ
５ｄ…ドライバ
６…ＲＦアンプ
７…ＤＳＰ
８…デコーダ
９…ＤＲＡＭ
１０…デコードロジック回路
１１…ロジック回路
１２…フラッシュＲＯＭ
【図１】
2004022147.tif 000003
【図２】
2004022147.tif 000004